(57)【特許請求の範囲】
【請求項１】
マクロセルと前記マクロセルよりも小さいマイクロセルとがオーバーレイしたネットワーク構成を有するヘテロジニアスネットワークにおける無線基地局であって、
ネットワーク構成に基づいて、チャネル状態を測定する測定サブフレームパターン及び前記測定サブフレームパターンのパターン開始タイミングを示すtime  referenceを生成するサブフレーム決定手段と、前記測定サブフレームパターン及び前記time  referenceを含む信号をユーザ端末に送信する送信手段と、を備え、
前記time  referenceは、前記ユーザ端末において、前記マクロセル又は前記マイクロセルの無線フレームタイミングに前記パターン開始タイミングを合わせるように測定タイミングを決定するために用いられることを特徴とする無線基地局。
【請求項２】
前記time  referenceは、前記測定サブフレームパターンを送信した無線基地局の無線フレームタイミングに前記パターン開始タイミングを合わせることを示すことを特徴とする請求項１記載の無線基地局。
【請求項３】
前記time  referenceは、測定対象となるセルの無線フレームタイミングに前記パターン開始タイミングを合わせることを示すことを特徴とする請求項１記載の無線基地局。
【請求項４】
前記マイクロセルがＯＳＧセルであることを特徴とする請求項３記載の無線基地局。
【請求項５】
前記マイクロセルがＣＳＧセルであることを特徴とする請求項２記載の無線基地局。
【請求項６】
マクロセルと前記マクロセルよりも小さいマイクロセルとがオーバーレイしたネットワーク構成を有するヘテロジニアスネットワークにおけるユーザ端末であって、
チャネル状態を測定する測定サブフレームパターンを受信する受信手段と、前記測定サブフレームパターン及びパターン開始タイミングを示すtime  referenceにしたがって、前記マクロセル又は前記マイクロセルの無線フレームタイミングに前記パターン開始タイミングを合わせるように測定タイミングを決定して前記チャネル状態を測定する測定手段と、を備えることを特徴とするユーザ端末。
【請求項７】
前記time  referenceが無線基地局から送信されたものであることを特徴とする請求項６記載のユーザ端末。
【請求項８】
前記time  referenceがあらかじめ決められたものであることを特徴とする請求項６記載のユーザ端末。
【請求項９】
前記time  referenceは、前記測定サブフレームパターンを送信した無線基地局の無線フレームタイミングに前記パターン開始タイミングを合わせることを示すことを特徴とする請求項６から請求項８のいずれかに記載のユーザ端末。
【請求項１０】
前記time  referenceは、測定対象となるセルの無線フレームタイミングに前記パターン開始タイミングを合わせることを示すことを特徴とする請求項６から請求項８のいずれかに記載のユーザ端末。
【請求項１１】
マクロセルと前記マクロセルよりも小さいマイクロセルとがオーバーレイしたネットワーク構成を有するヘテロジニアスネットワークにおける無線基地局において、ネットワーク構成に基づいて、チャネル状態を測定する測定サブフレームパターン及び前記測定サブフレームパターンのパターン開始タイミングを示すtime  referenceを生成する工程と、前記測定サブフレームパターン及び前記time  referenceを含む信号をユーザ端末に送信する工程と、前記ユーザ端末において、前記測定サブフレームパターン及び前記time  referenceを含む信号を受信する工程と、前記測定サブフレームパターン及び前記time  referenceにしたがって、前記マクロセル又は前記マイクロセルの無線フレームタイミングに前記パターン開始タイミングを合わせるように測定タイミングを決定して前記チャネル状態を測定する工程と、を備えることを特徴とする無線通信方法。
【請求項１２】
マクロセルと前記マクロセルよりも小さいマイクロセルとがオーバーレイしたネットワーク構成を有するヘテロジニアスネットワークにおける無線基地局において、ネットワーク構成に基づいて、チャネル状態を測定する測定サブフレームパターンを生成する工程と、前記測定サブフレームパターンを含む信号をユーザ端末に送信する工程と、前記ユーザ端末において、前記測定サブフレームパターンを含む信号を受信する工程と、前記測定サブフレームパターン及び前記測定サブフレームパターンのパターン開始タイミングを示すtime  referenceにしたがって、前記マクロセル又は前記マイクロセルの無線フレームタイミングに前記パターン開始タイミングを合わせるように測定タイミングを決定して前記チャネル状態を測定する工程と、を備えることを特徴とする無線通信方法。
【発明の詳細な説明】
【技術分野】
【０００１】
本発明は、マクロセル内にマイクロセルが設けられる無線通信システムにおける無線基地局、ユーザ端末及び無線通信方法に関する。
【背景技術】
【０００２】
ＵＭＴＳ（Universal  Mobile  Telecommunications  System）方式の後継となるＬＴＥ（Long  Term  Evolution）方式を用いた無線通信システム（以下、ＬＴＥシステムという）が、標準化団体３ＧＰＰによって定められている。現在、３ＧＰＰでは、ＬＴＥ方式の後継となるＬＴＥ−Ａｄｖａｎｃｅｄ方式を用いた無線通信システム（以下、ＬＴＥ−Ａシステムという）も検討されている。
【０００３】
ＬＴＥ−Ａシステムでは、半径数キロメートル程度の広範囲のカバレッジエリアを有するマクロセル内に、半径数十メートル程度の局所的なカバレッジエリアを有するマイクロセル（例えば、ピコセル、フェムトセルなど）が形成されるＨｅｔＮｅｔ（Heterogeneous  network）が検討されている（例えば、非特許文献１）。
【０００４】
かかるＨｅｔＮｅｔでは、システム全体のスループット向上を目的として、ＣＲＥ（Cell  Range  Expansion）を行うことが検討されている。ＣＲＥでは、マイクロセルを形成する無線基地局（以下、マイクロ基地局という）からの受信電力にオフセットを加えることによって、マイクロセルの範囲を拡張する。このため、拡張されたマイクロセル内に位置するユーザ端末ＵＥは、マクロセルを形成する無線基地局（以下、マクロ基地局）からマイクロ基地局にハンドオーバを行うことができる。このようなＣＲＥを利用して、マクロ基地局配下のマクロＵＥをマイクロセルにハンドオーバさせてオフロードして、ネットワークの容量を増大することが考えられている。
【０００５】
このようにマクロＵＥをマイクロセルにハンドオーバさせることを考えた場合、マイクロ基地局へのハンドオーバを行ったマクロＵＥは、マクロ基地局から大きな干渉を受けるので、マイクロ基地局の品質を測定することができなくなってしまう。このため、一部のサブフレームにおいてマクロ基地局がデータ送信を停止して、当該マクロＵＥがマクロ基地局から受ける干渉を低減する干渉コーディネーションが検討されている。
【０００６】
図１は、干渉コーディネーションの一例を示す図である。図１に示すように、マクロ基地局がデータ送信を行うサブフレーム（左から１番目及び３番目のサブフレーム）では、当該マクロＵＥにおけるマイクロ基地局からの受信電力は、マクロ基地局からの干渉を受けるため、小さくなる。一方、マクロ基地局においてデータ送信を停止するサブフレーム（左から２番目及び４番目のサブフレーム）では、当該マクロＵＥにおけるマイクロ基地局からの受信電力は、マクロ基地局からの干渉を受けないため、大きくなる。なお、データ送信を停止するサブフレーム（以下、送信停止サブフレームという）においては、データの送信を完全に停止していなくともよく、当該マクロＵＥへの干渉が許容範囲内となる少量のデータを送信してもよい。送信停止サブフレームとしては、例えば、ＭＢＳＦＮ（MBMS(Multimedia  broadcast  and  Multicast  Service)  over  a  Single  Frequency  Network）サブフレームやＡＢＳ（Almost  Blank  Subframe）が用いられる。
【０００７】
このような干渉コーディネーションにより、ユーザ端末は、マクロ基地局の送信停止サブフレームでマイクロ基地局の品質測定（measurement）を行うことができるので、マクロ基地局からマイクロ基地局にハンドオーバを行うことができる。この場合においては、マクロ基地局は、ユーザ端末に対して、どのサブフレームで測定するかの測定パターンを通知する。
【０００８】
このように測定パターンを通知する場合、各セル個別の測定パターンを通知すると、通知するパラメータが多くなってしまうので、サービングセルに対して１パターン、すべての隣接セルに対して１パターンの合計２パターンの測定パターンを通知することが検討されている。例えば、図２（ａ）に示すマクロＵＥについては、マクロセルに対して１パターン、ピコセル（マクロセルＭＣに対する隣接セル）及びマクロセルの隣接セル（図示せず）に対して共通の１パターンがマクロＵＥに通知されることになる。
【先行技術文献】
【非特許文献】
【０００９】
【非特許文献１】３ＧＰＰ，ＴＳ３６．３００
【発明の概要】
【発明が解決しようとする課題】
【００１０】
上述したＨｅｔＮｅｔにおいては、マクロセルとマイクロセルがオーバーレイされたネットワーク構成を採っている。マイクロセルとしては、ＯＳＧ−セル（ピコセル）やＣＳＧセル（フェムトセル）がある。例えば、後述する図２（ａ）に示すネットワーク構成においてマクロＵＥをマイクロセル（ピコセル）にハンドオーバさせる場合は、マクロＵＥに対してマクロ基地局が干渉源となるので、マクロ基地局からの信号（マクロサブフレーム）に対して干渉コーディネーションを適用する必要がある。一方で、後述する図４（ａ）に示すネットワーク構成においてマクロＵＥをマイクロセル（フェムトセル）にハンドオーバさせる場合は、マクロＵＥに対してマクロ基地局が干渉源となるので、フェムト基地局からの信号（フェムトサブフレーム）に対して干渉コーディネーションを適用する必要がある。
【００１１】
このように、ネットワーク構成により、具体的には、マイクロセルの種類により、マクロＵＥに対する干渉源が異なるので、干渉コーディネーションを適用する対象を適宜変える必要があるが、上記のように、単に２パターンの測定パターンを通知するだけでは、ネットワーク構成によっては正確にmeasurementを行うことができないという問題が考えられる。
【００１２】
本発明は、かかる点に鑑みてなされたものであり、ＨｅｔＮｅｔにおいて、種々のネットワーク構成であっても、正確にmeasurementを行うことができる無線基地局、ユーザ端末及び無線通信方法を提供することを目的とする。
【課題を解決するための手段】
【００１３】
本発明の無線基地局は、マクロセルと前記マクロセルよりも小さいマイクロセルとがオーバーレイしたネットワーク構成を有するヘテロジニアスネットワークにおける無線基地局であって、ネットワーク構成に基づいて、チャネル状態を測定する測定サブフレームパターン及び前記測定サブフレームパターンのパターン開始タイミングを示すtime  referenceを生成するサブフレーム決定手段と、前記測定サブフレームパターン及び前記time  referenceを含む信号をユーザ端末に送信する送信手段と、を備え、前記time  referenceは、前記ユーザ端末において、前記マクロセル又は前記マイクロセルの無線フレームタイミングに前記パターン開始タイミングを合わせるように測定タイミングを決定するために用いられることを特徴とする。
【００１４】
本発明のユーザ端末は、マクロセルと前記マクロセルよりも小さいマイクロセルとがオーバーレイしたネットワーク構成を有するヘテロジニアスネットワークにおけるユーザ端末であって、チャネル状態を測定する測定サブフレームパターンを受信する受信手段と、前記測定サブフレームパターン及びパターン開始タイミングを示すtime  referenceにしたがって、前記マクロセル又は前記マイクロセルの無線フレームタイミングに前記パターン開始タイミングを合わせるように測定タイミングを決定して前記チャネル状態を測定する測定手段と、を備えることを特徴とする。
【００１５】
本発明の無線通信方法は、マクロセルと前記マクロセルよりも小さいマイクロセルとがオーバーレイしたネットワーク構成を有するヘテロジニアスネットワークにおける無線基地局において、ネットワーク構成に基づいて、チャネル状態を測定する測定サブフレームパターン及び前記測定サブフレームパターンのパターン開始タイミングを示すtime  referenceを生成する工程と、前記測定サブフレームパターン及び前記time  referenceを含む信号をユーザ端末に送信する工程と、前記ユーザ端末において、前記測定サブフレームパターン及び前記time  referenceを含む信号を受信する工程と、前記測定サブフレームパターン及び前記time  referenceにしたがって、前記マクロセル又は前記マイクロセルの無線フレームタイミングに前記パターン開始タイミングを合わせるように測定タイミングを決定して前記チャネル状態を測定する工程と、を備えることを特徴とする。
【００１６】
本発明の無線通信方法は、マクロセルと前記マクロセルよりも小さいマイクロセルとがオーバーレイしたネットワーク構成を有するヘテロジニアスネットワークにおける無線基地局において、ネットワーク構成に基づいて、チャネル状態を測定する測定サブフレームパターンを生成する工程と、前記測定サブフレームパターンを含む信号をユーザ端末に送信する工程と、前記ユーザ端末において、前記測定サブフレームパターンを含む信号を受信する工程と、前記測定サブフレームパターン及び前記測定サブフレームパターンのパターン開始タイミングを示すtime  referenceにしたがって、前記マクロセル又は前記マイクロセルの無線フレームタイミングに前記パターン開始タイミングを合わせるように測定タイミングを決定して前記チャネル状態を測定する工程と、を備えることを特徴とする。
【発明の効果】
【００１７】
本発明によれば、ＨｅＮｅｔにおける無線基地局において、ネットワーク構成に基づいてチャネル状態を測定する測定サブフレームパターンを生成し、ユーザ端末において、測定サブフレームパターン及びパターン開始タイミングを示すtime  referenceでチャネル状態を測定する。time  referenceには、ネットワーク構成に応じて、ユーザ端末で正確にmeasurementを行うことができるタイミング情報が含まれているので、種々のネットワーク構成であっても、正確にmeasurementを行うことができる。
【図面の簡単な説明】
【００１８】
【図１】干渉コーディネーションの一例を示す図である。
【図２】（ａ）は、本発明の実施の形態１に係る無線通信方法が適用される無線通信システムの概略構成図であり、（ｂ）は、干渉コーディネーションを適用する場合のサブフレームパターンを示す図である。
【図３】（ａ），（ｂ）は、本発明の実施の形態１に係る無線通信方法における測定パターンを示す図である。
【図４】（ａ）は、本発明の実施の形態２に係る無線通信方法が適用される無線通信システムの概略構成図であり、（ｂ）は、干渉コーディネーションを適用する場合のサブフレームパターンを示す図である。
【図５】（ａ），（ｂ）は、本発明の実施の形態２に係る無線通信方法における測定パターンを示す図である。
【図６】本発明の実施の形態に係る無線基地局（マクロ基地局）の機能構成図である。
【図７】本発明の実施の形態に係る無線基地局（隣接基地局）の機能構成図である。
【図８】本発明の実施の形態に係るユーザ端末（マクロＵＥ）の機能構成図である。
【発明を実施するための形態】
【００１９】
（実施の形態１）
本実施の形態においては、マクロセルとマクロセルよりも小さいマイクロセルとがオーバーレイしたネットワーク構成を有するヘテロジニアスネットワーク（ＨｅｔＮｅｔ）において、マイクロセルがＯＳＧ（Open  Subscriber  Group）セル（ピコセル）である場合について説明する。
【００２０】
図２（ａ）は、本発明の実施の形態１に係る無線通信方法が適用される無線通信システムの概略構成図であり、図２（ｂ）は、干渉コーディネーションを適用する場合のサブフレームパターンを示す図である。
【００２１】
図２（ａ）に示す無線通信システムにおいては、マクロセル１と、その隣接セルであるマイクロセル（ピコセル）とがオーバーレイされている。また、マクロセル１の隣接セルとしてマクロセル２がある。マクロセル１は無線基地局（マクロ基地局）ＭｅＮＢが形成するセルであり、隣接セルであるピコセルの無線基地局（隣接基地局：ピコ基地局）ＮｅＮＢ１が形成するセルであり、マクロセル１は隣接セルであるマクロセル２の無線基地局（隣接基地局：マクロ基地局）ＮｅＮＢ２が形成するセルである。ここでは、ユーザ端末ＵＥ（マクロＵＥ）がマクロ基地局（サービングセル）ＭｅＮＢと接続されているとする。
【００２２】
図２（ａ）に示すように、マクロ基地局ＭｅＮＢとピコ基地局ＮｅＮＢ１とは、有線のＸ２インタフェースを介して接続されている。また、マクロ基地局ＭｅＮＢとピコ基地局ＮｅＮＢ１とは、それぞれ、コアネットワーク（不図示）に接続されている。また、マクロ基地局ＭｅＮＢとピコ基地局ＮｅＮＢ１とは、少なくとも一部の無線周波数帯を共用している。図２に示す無線通信システムにおいて、マクロＵＥは、ピコセルＰＣ外に位置しているので、ピコ基地局ＮｅＮＢ１からの受信電力よりもマクロ基地局ＭｅＮＢの受信電力が大きくなるため、マクロ基地局ＭｅＮＢに接続する。
【００２３】
図２（ａ）に示す無線通信システムでは、ＣＲＥ（Cell  Range  Expansion）が行なわれる。ＣＲＥでは、マクロＵＥは、ピコ基地局ＮｅＮＢ１からの受信電力にオフセットを加えるので、ピコセルＰＣ外であっても拡張されたピコセルＰＣ’内に位置する場合は、マクロ基地局ＭｅＮＢの受信電力よりもピコ基地局ＮｅＮＢ１からの受信電力（オフセットが加えられたもの）が大きくなる。したがって、マクロＵＥは、ピコセルＰＣ外であっても拡張されたピコセルＰＣ’内に位置する場合、ピコ基地局ＮｅＮＢ１に接続でき、マクロ基地局ＭｅＮＢからピコ基地局ＮｅＮＢ１へハンドオーバすることができる。
【００２４】
マクロＵＥがマクロ基地局ＭｅＮＢからピコ基地局ＮｅＮＢ１へハンドオーバする場合、マクロ基地局ＭｅＮＢの品質とピコ基地局ＮｅＮＢ１の品質とを測定する必要がある。しかしながら、図２（ａ）に示すような位置にマクロＵＥが位置すると、マクロ基地局ＭｅＮＢからの信号が大きな干渉となり、ピコ基地局ＮｅＮＢ１の品質を測定することができない状況となる。このため、図２（ｂ）に示すように、干渉コーディネーションにより、マクロ基地局におけるサブフレームのうち一部のサブフレームを送信停止サブフレームとする。図２（ｂ）に示す例では、左から偶数サブフレームが送信停止サブフレームである。
【００２５】
ここで、送信停止サブフレームとしては、例えば、ＭＢＳＦＮサブフレームやＡＢＳが用いられる。ＡＢＳサブフレームは、データチャネルにおいて、ＣＲＳ（Common  Reference  Signal）のみが送信され、データが送信されないサブフレームである。一方、ＭＢＳＦＮサブフレームは、データチャネルにおいて、データに加えてＣＲＳも送信されないサブフレームである。このように、ＭＢＳＦＮサブフレームでは、データチャネルにおいてＣＲＳも送信されないので、ＣＲＳによる干渉も低減できる点で、この場合においてＡＢＳサブフレームよりも有利である。なお、ＭＢＳＦＮサブフレームにおいては、制御チャネルにおいてＣＲＳが送信される。
【００２６】
上述したように、干渉コーディネーションを行う場合に、ＣＲＳを測定する測定パターンをマクロ基地局からマクロＵＥに通知する。本実施の形態においては、マクロＵＥに対して、マクロ基地局が干渉源となるので、マクロ基地局のサブフレーム（マクロサブフレーム）に送信停止サブフレームを設定する。すなわち、図２（ｂ）に示すように、１つの測定サブフレームパターンとして送信停止サブフレームを含むマクロサブフレームパターンとし、１つの測定サブフレームパターンとして送信停止サブフレームを含まないピコサブフレームパターン（いずれのサブフレームでＣＲＳを測定しても良い）とする。
【００２７】
次に具体的に、測定サブフレームパターンの決め方について説明する。
図３（ａ），（ｂ）は、本発明の実施の形態１に係る無線通信方法における測定サブフレームパターンを示す図である。
【００２８】
本実施の形態における第１の方法においては、測定サブフレームパターンを送信した無線基地局（Macro-cell  Serving）の無線フレームタイミングにパターン開始タイミングを合わせることを示すtime  referenceをマクロ基地局ＭｅＮＢがマクロＵＥに通知する。
【００２９】
図３（ａ）に示す測定サブフレームパターンは、サブフレーム番号＃０〜＃９を１無線フレームとして４無線フレーム分で構成されている。この測定サブフレームパターンは、サブフレーム番号＃２が送信停止サブフレームとなっている。図３（ａ）に示す測定サブフレームパターンは、具体的には、「００１０００００００  ００１０００００００  ００１０００００００  ００１０００００００」というパターンである。なお、このパターンにおいて、「１」は、ＣＲＣを測定可能であるサブフレームを示す。このサブフレームパターンは、無線基地局であるマクロ基地局ＭｅＮＢで決定する。この場合、ＣＲＳを測定する測定サブフレームパターンは、ネットワーク構成、すなわち、マクロセルとピコセルとがオーバーレイされたネットワーク構成に基づいて決定されている。この測定サブフレームパターンは、マクロ基地局ＭｅＮＢがマクロＵＥに通知する。
【００３０】
測定サブフレームパターンに加えて、測定サブフレームパターンのパターン開始タイミングを示すtime  referenceをマクロ基地局ＭｅＮＢがマクロＵＥに通知する。これにより、ユーザ端末において、測定サブフレームパターンの測定タイミングを決定することができ、それにより正確にmeasurementを行うことができる。
【００３１】
隣接基地局であるピコ基地局ＮｅＮＢ１は、マクロ基地局ＭｅＮＢから通知されたシフト量に基づいてサブフレームをシフトする。図３（ａ）においては、ピコ基地局ＮｅＮＢ１は、マクロ基地局ＭｅＮＢから通知されたシフト量に応じて２サブフレームをシフトする。これにより、ピコ基地局ＮｅＮＢ１におけるサブフレーム＃０とマクロ基地局ＭｅＮＢにおけるサブフレーム＃２とが合致する。
【００３２】
ピコ基地局ＮｅＮＢ１は、図３（ａ）におけるPico-cell  NeighborのタイミングでマクロＵＥに送信を行う。マクロＵＥは、測定サブフレームパターンを送信した無線基地局（Macro-cell1  Serving）の無線フレームタイミングにパターン開始タイミングを合わせることを示すtime  referenceを受信しているので、このtime  referenceで測定タイミングを決定してmeasurementを行うことになる。すなわち、図３（ａ）においては、測定サブフレームパターンを送信した無線基地局（Macro-cell1  Serving）の無線フレームの開始位置（Macro-cell1  Servingのサブフレーム＃０に対応するPico-cell  Neighborのサブフレーム＃８）に測定サブフレームパターンの先頭を合わせる。
【００３３】
隣接セルの無線基地局（マクロ基地局）ＮｅＮＢ２は、図３（ａ）におけるMacro-cell1  NeighborのタイミングでマクロＵＥに送信を行う。マクロＵＥは、測定サブフレームパターンを送信した無線基地局（Macro-cell1  Serving）の無線フレームタイミングにパターン開始タイミングを合わせることを示すtime  referenceを受信しているので、このtime  referenceで測定タイミングを決定してmeasurementを行うことになる。すなわち、図３（ａ）においては、測定サブフレームパターンを送信した無線基地局（Macro-cell1  Serving）の無線フレームの開始位置（Macro-cell1  Servingのサブフレーム＃０に対応するMacro-cell2  Neighborのサブフレーム＃０）に測定サブフレームパターンの先頭を合わせる。
【００３４】
このように、図３（ａ）に示すネットワーク構成に基づいて、マクロＵＥにおいてＣＲＳを測定する測定サブフレームパターン及びパターン開始タイミングを示すtime  referenceを生成してマクロＵＥに送信し、マクロＵＥにおいて、測定サブフレームパターン、time  reference及びシフト量で測定タイミングを決定してチャネル状態を測定するので、マクロＵＥは、正確にピコセルのmeasurementを行うことができる。
【００３５】
上記第１の方法において、隣接セルの無線基地局（マクロ基地局）ＮｅＮＢ２とマクロ基地局ＭｅＮＢとが同期している場合であって、両者共に送信停止サブフレームにＭＢＳＦＮサブフレームを使用しているとき（図３（ａ）におけるMacro-cell2  Neighbor）は、隣接基地局（マクロ基地局）ＮｅＮＢ２が、マクロ基地局ＭｅＮＢの送信停止サブフレームのタイミング（サブフレーム＃２のタイミング）でＭＢＳＦＮサブフレームしか測定できない。この場合、上述したように、ＭＢＳＦＮサブフレームには制御チャネルにしかＣＲＳが含まれていないので、品質測定の精度が劣化する可能性がある。
【００３６】
そこで、本実施の形態における第２の方法においては、測定対象となる各セルの無線フレームタイミングにパターン開始タイミングを合わせることを示すtime  referenceマクロ基地局ＭｅＮＢがマクロＵＥに通知する。
【００３７】
図３（ｂ）に示す測定サブフレームパターンは、サブフレーム番号＃０〜＃９を１無線フレームとして４無線フレーム分で構成されている。この測定サブフレームパターンは、サブフレーム番号＃０が送信停止サブフレームとなっている。図３（ｂ）に示す測定サブフレームパターンは、具体的には、「１０００００００００  １０００００００００  １０００００００００  １０００００００００」というパターンである。なお、このパターンにおいて、「１」は、ＣＲＣを測定可能であるサブフレームを示す。このサブフレームパターンは、無線基地局であるマクロ基地局ＭｅＮＢで決定する。この場合、ＣＲＳを測定する測定サブフレームパターンは、ネットワーク構成、すなわち、マクロセルとピコセルとがオーバーレイされたネットワーク構成に基づいて決定されている。この測定サブフレームパターンは、マクロ基地局ＭｅＮＢがマクロＵＥに通知する。
【００３８】
隣接基地局であるピコ基地局ＮｅＮＢ１は、マクロ基地局ＭｅＮＢから通知されたシフト量に基づいてサブフレームをシフトする。図３（ｂ）においては、ピコ基地局ＮｅＮＢ１は、マクロ基地局ＭｅＮＢから通知されたシフト量に応じて２サブフレームをシフトする。これにより、ピコ基地局ＮｅＮＢ１におけるサブフレーム＃０とマクロ基地局ＭｅＮＢにおけるサブフレーム＃２とが合致する。
【００３９】
ピコ基地局ＮｅＮＢ１は、図３（ｂ）におけるPico-cell  NeighborのタイミングでマクロＵＥに送信を行う。マクロＵＥは、測定対象となる各セルの無線フレームタイミングにパターン開始タイミングを合わせることを示すtime  referenceを受信しているので、このtime  referenceで測定タイミングを決定してmeasurementを行うことになる。すなわち、図３（ｂ）においては、Pico-cell  Neighborの無線フレームの開始位置（Pico-cell  Neighborのサブフレーム＃０）に測定サブフレームパターンの先頭を合わせる。この場合、Macro-cell1  Servingの送信停止サブフレーム（サブフレーム番号＃２）がPico-cell  Neighborのサブフレーム＃０（測定可能サブフレーム）と合致している。
【００４０】
隣接セルの無線基地局（マクロ基地局）ＮｅＮＢ２は、図３（ｂ）におけるMacro-cell2  NeighborのタイミングでマクロＵＥに送信を行う。マクロＵＥは、測定対象となる各セルの無線フレームタイミングにパターン開始タイミングを合わせることを示すtime  referenceを受信しているので、このtime  referenceで測定タイミングを決定してmeasurementを行うことになる。すなわち、図３（ｂ）においては、Macro-cell2  Neighborの無線フレームの開始位置（Macro-cell2  Neighborのサブフレーム＃０）に測定サブフレームパターンの先頭を合わせる。
【００４１】
このように、図３（ｂ）に示すネットワーク構成に基づいて、マクロＵＥにおいてＣＲＳを測定する測定サブフレームパターン及びパターン開始タイミングを示すtime  referenceを生成してマクロＵＥに送信し、マクロＵＥにおいて、測定サブフレームパターン、time  reference及びシフト量で測定タイミングを決定してチャネル状態を測定するので、マクロＵＥは、正確にピコセルのmeasurementを行うことができる。なお、この場合、隣接セルの無線基地局（マクロ基地局）ＮｅＮＢ２とマクロ基地局ＭｅＮＢとが同期しており、両者共に送信停止サブフレームにＭＢＳＦＮサブフレームを使用していても（図３（ｂ）におけるMacro-cell2  Neighbor）、隣接基地局（マクロ基地局）ＮｅＮＢ２は、マクロ基地局ＭｅＮＢの送信停止サブフレームとは異なるサブフレームのタイミング（サブフレーム＃０のタイミング）で測定ことになるので、品質測定の精度を劣化させることがない。このため、マイクロセルがＯＳＧセルである場合には、第２の方法を適用することが好ましい。
【００４２】
（実施の形態２）
本実施の形態においては、マクロセルとマクロセルよりも小さいマイクロセルとがオーバーレイしたネットワーク構成を有するヘテロジニアスネットワーク（ＨｅｔＮｅｔ）において、マイクロセルがＣＳＧ（Closed  Subscriber  Group）セル（フェムトセル）である場合について説明する。
【００４３】
図４（ａ）は、本発明の実施の形態２に係る無線通信方法が適用される無線通信システムの概略構成図であり、図４（ｂ）は、干渉コーディネーションを適用する場合のサブフレームパターンを示す図である。
【００４４】
図４（ａ）に示す無線通信システムにおいては、マクロセル１と、その隣接セルであるマイクロセル（フェムトセル）とがオーバーレイされている。また、マクロセル１の隣接セルとしてマクロセル２がある。マクロセル１は無線基地局（マクロ基地局）ＭｅＮＢが形成するセルであり、隣接セルであるピコセルの無線基地局（隣接基地局：フェムト基地局）ＮｅＮＢ１が形成するセルであり、マクロセル１は隣接セルであるマクロセル２の無線基地局（隣接基地局：マクロ基地局）ＮｅＮＢ２が形成するセルである。ここでは、ユーザ端末ＵＥ（マクロＵＥ）がマクロ基地局（サービングセル）ＭｅＮＢと接続されているとする。
【００４５】
図４（ａ）に示すように、マクロ基地局ＭｅＮＢとフェムト基地局ＮｅＮＢ１とは、それぞれ、コアネットワーク（不図示）に接続されている。フェムトセルは、メンバーでないユーザ端末は接続できないので、メンバーでないマクロＵＥがフェムトセル内に位置すると、マクロＵＥはフェムト基地局ＮｅＮＢ１から強い干渉を受ける。なお、後述するシフト量については、固定であり、あらかじめフェムト基地局に入力されている。
【００４６】
マクロＵＥがマクロ基地局ＭｅＮＢからフェムト基地局ＮｅＮＢ１へハンドオーバする場合、マクロ基地局ＭｅＮＢの品質とフェムト基地局ＮｅＮＢ１の品質とを測定する必要がある。しかしながら、図４（ａ）に示すような位置にマクロＵＥが位置すると、フェムト基地局ＮｅＮＢ１からの信号が大きな干渉となり、マクロ基地局ＭｅＮＢの品質を測定することができない状況となる。このため、図４（ｂ）に示すように、干渉コーディネーションにより、フェムト基地局におけるサブフレームのうち一部のサブフレームを送信停止サブフレームとする。図４（ｂ）に示す例では、左から偶数サブフレームが送信停止サブフレームである。
【００４７】
ここで、送信停止サブフレームとしては、例えば、ＭＢＳＦＮサブフレームやＡＢＳが用いられる。ＡＢＳサブフレームは、データチャネルにおいて、ＣＲＳ（Common  Reference  Signal）のみが送信され、データが送信されないサブフレームである。一方、ＭＢＳＦＮサブフレームは、データチャネルにおいて、データに加えてＣＲＳも送信されないサブフレームである。このように、ＭＢＳＦＮサブフレームでは、データチャネルにおいてＣＲＳも送信されないので、ＣＲＳによる干渉も低減できる点で、この場合においてＡＢＳサブフレームよりも有利である。なお、ＭＢＳＦＮサブフレームにおいては、制御チャネルにおいてＣＲＳが送信される。
【００４８】
上述したように、干渉コーディネーションを行う場合に、ＣＲＳを測定する測定パターンをマクロ基地局からマクロＵＥに通知する。本実施の形態においては、マクロＵＥに対して、フェムト基地局が干渉源となるので、フェムト基地局のサブフレーム（フェムトサブフレーム）に送信停止サブフレームを設定する。すなわち、図４（ｂ）に示すように、１つの測定サブフレームパターンとして送信停止サブフレームを含むフェムトサブフレームパターンとし、１つの測定サブフレームパターンとして送信停止サブフレームを含まないマクロサブフレームパターン（いずれのサブフレームでＣＲＳを測定しても良い）とする。
【００４９】
次に具体的に、測定サブフレームパターンの決め方について説明する。
図５（ａ），（ｂ）は、本発明の実施の形態２に係る無線通信方法における測定パターンを示す図である。
【００５０】
本実施の形態における第１の方法においては、測定対象となるフェムトセルの無線フレームタイミングにパターン開始タイミングを合わせることを示すtime  referenceマクロ基地局ＭｅＮＢがマクロＵＥに通知する。
【００５１】
図５（ａ）に示す測定サブフレームパターンは、サブフレーム番号＃０〜＃９を１無線フレームとして４無線フレーム分で構成されている。この測定サブフレームパターンは、サブフレーム番号＃４が送信停止サブフレームとなっている。図５（ａ）に示す測定サブフレームパターンは、具体的には、「００１０００００００  ００１０００００００  ００１０００００００  ００１０００００００」というパターンである。なお、このパターンにおいて、「１」は、ＣＲＣを測定可能であるサブフレームを示す。このサブフレームパターンは、無線基地局であるマクロ基地局ＭｅＮＢで決定する。この場合、ＣＲＳを測定する測定サブフレームパターンは、ネットワーク構成、すなわち、マクロセルとフェムトセルとがオーバーレイされたネットワーク構成に基づいて決定されている。この測定サブフレームパターンは、マクロ基地局ＭｅＮＢがマクロＵＥに通知する。
【００５２】
隣接基地局であるフェムト基地局ＮｅＮＢ１は、マクロ基地局ＭｅＮＢから通知されたシフト量に基づいてサブフレームをシフトする。図５（ａ）においては、フェムト基地局ＮｅＮＢ１は、マクロ基地局ＭｅＮＢから通知されたシフト量に応じて２サブフレームをシフトする。これにより、フェムト基地局ＮｅＮＢ１におけるサブフレーム＃４とマクロ基地局ＭｅＮＢにおけるサブフレーム＃２とが合致する。
【００５３】
フェムト基地局ＮｅＮＢ１は、図５（ａ）におけるFemto-cell  NeighborのタイミングでマクロＵＥに送信を行う。マクロＵＥは、測定対象となるフェムトセルの無線フレームタイミングにパターン開始タイミングを合わせることを示すtime  referenceを受信しているので、このtime  referenceで測定タイミングを決定してmeasurementを行うことになる。すなわち、図５（ａ）においては、Femto-cell  Neighborの無線フレームの開始位置（Femto-cell  Neighborのサブフレーム＃０）に測定サブフレームパターンの先頭を合わせる。この場合、Macro-cell1  Servingの送信停止サブフレーム（サブフレーム番号＃４）がFemto-cell  Neighborのサブフレーム＃２（測定可能サブフレーム）と合致している。
【００５４】
隣接セルの無線基地局（マクロ基地局）ＮｅＮＢ２は、図５（ａ）におけるMacro-cell2  NeighborのタイミングでマクロＵＥに送信を行う。マクロＵＥは、測定対象となるフェムトセルの無線フレームタイミングにパターン開始タイミングを合わせることを示すtime  referenceを受信しているので、このtime  referenceで測定タイミングを決定してmeasurementを行うことになる。すなわち、図５（ａ）においては、Macro-cell2  Neighborの無線フレームの開始位置（Macro-cell2  Neighborのサブフレーム＃０）に測定サブフレームパターンの先頭を合わせる。
【００５５】
このように、図５（ａ）に示すネットワーク構成に基づいて、マクロＵＥにおいてＣＲＳを測定する測定サブフレームパターン及びパターン開始タイミングを示すtime  referenceを生成してマクロＵＥに送信し、マクロＵＥにおいて、測定サブフレームパターン、time  reference及びシフト量で測定タイミングを決定してチャネル状態を測定するので、マクロＵＥは、正確にピコセルのmeasurementを行うことができる。なお、この場合、隣接セルの無線基地局（マクロ基地局）ＮｅＮＢ２についても測定サブフレームのパターンを同一にする（図５（ａ）におけるMacro-cell2  Neighbor）。これにより、マクロＵＥは、正確にフェムトセルのmeasurement及び隣接セル（マクロセル２）のmeasurementを行うことができる。このため、マイクロセルがＣＳＧセルである場合には、第１の方法を適用することが好ましい。
【００５６】
本実施の形態における第２の方法においては、測定対象となる各セルの無線フレームタイミングにパターン開始タイミングを合わせることを示すtime  referenceマクロ基地局ＭｅＮＢがマクロＵＥに通知する。
【００５７】
図５（ｂ）に示す測定サブフレームパターンは、サブフレーム番号＃０〜＃９を１無線フレームとして４無線フレーム分で構成されている。この測定サブフレームパターンは、サブフレーム番号＃４が送信停止サブフレームとなっている。図５（ｂ）に示す測定サブフレームパターンは、具体的には、「００００１０００００  ００００１０００００  ００００１０００００  ００００１０００００」というパターンである。なお、このパターンにおいて、「１」は、ＣＲＣを測定可能であるサブフレームを示す。このサブフレームパターンは、無線基地局であるマクロ基地局ＭｅＮＢで決定する。この場合、ＣＲＳを測定する測定サブフレームパターンは、ネットワーク構成、すなわち、マクロセルとフェムトセルとがオーバーレイされたネットワーク構成に基づいて決定されている。この測定サブフレームパターンは、マクロ基地局ＭｅＮＢがマクロＵＥに通知する。
【００５８】
隣接基地局であるフェムト基地局ＮｅＮＢ１は、マクロ基地局ＭｅＮＢから通知されたシフト量に基づいてサブフレームをシフトする。図５（ｂ）においては、フェムト基地局ＮｅＮＢ１は、マクロ基地局ＭｅＮＢから通知されたシフト量に応じて２サブフレームをシフトする。これにより、フェムト基地局ＮｅＮＢ１におけるサブフレーム＃４とマクロ基地局ＭｅＮＢにおけるサブフレーム＃２とが合致する。
【００５９】
フェムト基地局ＮｅＮＢ１は、図５（ｂ）におけるFemto-cell  NeighborのタイミングでマクロＵＥに送信を行う。マクロＵＥは、測定対象となる各セルの無線フレームタイミングにパターン開始タイミングを合わせることを示すtime  referenceを受信しているので、このtime  referenceで測定タイミングを決定してmeasurementを行うことになる。すなわち、図５（ｂ）においては、Femto-cell  Neighborの無線フレームの開始位置（Femto-cell  Neighborのサブフレーム＃８）に測定サブフレームパターンの先頭を合わせる。この場合、Macro-cell1  Servingの送信停止サブフレーム（サブフレーム番号＃４）がFemto-cell  Neighborのサブフレーム＃２（測定可能サブフレーム）と合致している。
【００６０】
このように、図５（ｂ）に示すネットワーク構成に基づいて、マクロＵＥにおいてＣＲＳを測定する測定サブフレームパターン及びパターン開始タイミングを示すtime  referenceを生成してマクロＵＥに送信し、マクロＵＥにおいて、測定サブフレームパターン、time  reference及びシフト量で測定タイミングを決定してチャネル状態を測定するので、マクロＵＥは、正確にピコセルのmeasurementを行うことができる。
【００６１】
なお、実施の形態１，２において、隣接基地局（マクロ基地局）ＮｅＮＢ２が、マクロ基地局ＭｅＮＢと同期していない場合には、マクロＵＥが隣接セルをmeasurementするときに、指示されたタイミングと隣接セルのサブフレーム（Macro-cell2  Neighbor）の先頭のタイミングが一致しないことが考えられる。このような場合には、マクロＵＥは、隣接セルをmeasurementするときに、測定サブフレームに隣接するサブフレームも測定し、その測定値を用いて補正して品質測定値としても良い。例えば、測定サブフレームの測定値と隣接するサブフレームの測定値との間の平均値を品質測定値としても良く、測定サブフレームの測定値と隣接するサブフレームの測定値のいずれか良い測定値を選択しても良い。
【００６２】
上記実施の形態１，２においては、無線基地局が測定サブフレームパターン及びtime  referenceを一緒にユーザ端末に通知し、ユーザ端末において、測定サブフレームパターン及びtime  referenceを用いて測定タイミングを決定してmeasurementを行う場合について説明しているが、本発明はこれい限定されず、ユーザ端末があらかじめ決められたtime  referenceを用いて測定タイミングを決定してmeasurementを行っても良い。この場合においては、無線基地局は、測定サブフレームパターンのみをユーザ端末に通知する。time  referenceを無線基地局から通知するか、ユーザ端末に持たせるかについては、ネットワーク構成に応じて適宜切り替えることができる。
【００６３】
このように本発明においては、無線基地局からユーザ端末に対して、チャネル状態を測定する測定サブフレームパターンを通知し、測定サブフレームパターンを受信したユーザ端末がtime  referenceを用いて各セルの測定するタイミングを決定してmeasurementを行う。ここで、time  referenceは、測定サブフレームパターンのパターン開始タイミングを示すものであり、（１）測定サブフレームパターンを送信した無線基地局の無線フレームタイミングにパターン開始タイミングを合わせることを示す、あるいは、（２）測定対象となるセルの無線フレームタイミングにパターン開始タイミングを合わせることを示す。
【００６４】
以下、本発明の実施の形態に係る無線通信方法に適用する無線基地局及びユーザ端末について説明する。なお、本発明の実施の形態に係る無線通信システムの概略構成は、図２に示す構成と同様である。図２（ａ），図４（ａ）に示す各装置（すなわち、マクロ基地局ＭｅＮＢ、ピコ基地局（フェムト基地局）ＮｅＮＢ１、マクロＵＥ）は、アンテナ、通信インタフェース、プロセッサ、メモリ、送受信回路などを含むハードウェアを有しており、メモリには、プロセッサによって実行されるソフトウェアモジュールが記憶されている。なお、後述する各装置の機能構成は、上述のハードウェアによって実現されてもよいし、プロセッサによって実行されるソフトウェアモジュールによって実現されてもよいし、両者の組み合わせによって実現されてもよい。
【００６５】
図６は、本発明の実施の形態に係るマクロ基地局ＭｅＮＢの機能構成図である。図６に示すように、マクロ基地局ＭｅＮＢは、送受信部１０１と、設定部１０２と、Ｘ２インタフェース部１０３と、サブフレーム決定部１０４と、を具備する。
【００６６】
送受信部１０１は、マクロＵＥと無線信号を送受信する。具体的には、送受信部１０１は、ＣＲＳ、time  reference、及びその他のデータに対して所定の送信処理を施して送信信号にして、この送信信号をマクロＵＥに送信する。
【００６７】
設定部１０２は、隣接基地局ＮｅＮＢ１（ピコ基地局又はフェムト基地局）におけるシフト量を設定する。設定部１０２は、設定したシフト量をＸ２インタフェース部１０３に出力する。
【００６８】
Ｘ２インタフェース部１０３は、隣接基地局ＮｅＮＢ１（ピコ基地局又はフェムト基地局）とＸ２インタフェースを介して信号を送受信する。具体的には、Ｘ２インタフェース部１０３は、設定部１０２から入力されたシフト量を隣接基地局ＮｅＮＢ１（ピコ基地局又はフェムト基地局）に送信する。
【００６９】
サブフレーム決定部１０４は、送信停止サブフレームを含む測定サブフレームパターンを決定する。ここで、測定サブフレームパターンとは、図３（ａ），（ｂ）、図５（ａ），（ｂ）に示す測定サブフレームパターンをいう。また、サブフレーム決定部１０４は、測定サブフレームパターンのパターン開始タイミングを示すtime  referenceを生成する。例えば、サブフレーム決定部１０４は、マクロセルとピコセルとがオーバレイしたネットワーク構成の場合には、実施の形態１の第１及び第２の方法にしたがって測定サブフレームパターンやtime  referenceを決定する。また、サブフレーム決定部１０４は、マクロセルとフェムトセルとがオーバレイしたネットワーク構成の場合には、実施の形態２の第１及び第２の方法にしたがって測定サブフレームパターンやtime  referenceを決定する。サブフレーム決定部１０４は、測定サブフレームパターン及びtime  referenceを送受信部１０１に出力する。
【００７０】
図７は、本発明の実施の形態に係る隣接基地局（ピコ基地局又はフェムト基地局）ＮｅＮＢ１の機能構成図である。図７に示すように、隣接基地局ＮｅＮＢは、Ｘ２インタフェース部２０１（受信部）と、シフト部２０２と、送受信部２０３とを具備する。
【００７１】
Ｘ２インタフェース部２０１は、マクロ基地局ＭｅＮＢとＸ２インタフェースを介して信号（シフト量）を送受信する。
【００７２】
シフト部２０２は、マクロ基地局ＭｅＮＢから通知されたシフト量に基づいてサブフレームをシフトする。
【００７３】
送受信部２０３は、隣接セルユーザ端末ＵＥと無線信号を送受信する。具体的には、送受信部２０３は、種々のデータに対して所定の送信処理を施して送信信号にして、この送信信号を隣接セルユーザ端末ＵＥに送信する。
【００７４】
図８は、本発明の実施の形態に係るマクロＵＥの機能構成図である。図８に示すように、マクロＵＥは、送受信部３０１（受信部）と、測定部３０２と、を具備する、
【００７５】
送受信部３０１は、マクロ基地局ＭｅＮＢと無線信号を送受信する。具体的には、送受信部３０１は、測定サブフレームパターン、ＣＲＳ、time  reference、及びその他のデータを含む信号を受信する。また、送受信部３０１は、測定サブフレームパターン、ＣＲＳ、time  referenceを測定部３０２に出力する。
【００７６】
測定部３０２は、送受信部３０１で受信したＣＲＳを用いてチャネル状態を測定する。測定部３０２は、この場合、測定サブフレームパターン及びtime  referenceで測定タイミングを決定し、この測定タイミングでＣＲＳを用いてチャネル状態を測定する。
【００７７】
上記構成を有する無線通信システムにおいては、マクロセルとピコセルとがオーバーレイしたネットワーク構成では、ＣＲＳを測定する測定サブフレームをマクロ基地局ＭｅＮＢで決定する。このとき、マクロ基地局ＭｅＮＢのサブフレーム決定部１０４で、ネットワーク構成情報に基づいてＣＲＳを測定する測定サブフレームパターンを決定する。すなわち、サブフレーム決定部１０４は、マクロ基地局ＭｅＮＢが干渉になることを考慮して、図３（ａ），（ｂ）に示すようにして測定サブフレームパターンを決定する。この測定サブフレームパターン及び測定サブフレームパターンのパターン開始タイミングの情報であるtime  referenceをマクロＵＥに通知する。マクロＵＥにおいては、測定サブフレームパターン及びtime  referenceで測定タイミングを決定し、この測定タイミングでＣＲＳを測定する。
【００７８】
一方、マクロセルとフェムトセルとがオーバーレイしたネットワーク構成では、ＣＲＳを測定する測定サブフレームをマクロ基地局ＭｅＮＢで決定する。このとき、マクロ基地局ＭｅＮＢのサブフレーム決定部１０４で、ネットワーク構成情報に基づいてＣＲＳを測定する測定サブフレームを決定する。すなわち、サブフレーム決定部１０４は、フェムト基地局ＮｅＮＢ１が干渉になることを考慮して、図５（ａ），（ｂ）に示すようにして測定サブフレームパターンを決定する。この測定サブフレームパターン及び測定サブフレームパターンのパターン開始タイミングの情報であるtime  referenceをマクロＵＥに通知する。マクロＵＥにおいては、測定サブフレームパターン及びtime  referenceで測定タイミングを決定し、この測定タイミングでＣＲＳを測定する。
【００７９】
上記実施の形態１，２においては、マクロ基地局においてサブフレームパターンを決定し、マクロＵＥにおいて、測定サブフレームパターン及びtime  referenceで測定タイミングを決定し、この測定タイミングでＣＲＳを測定する場合について説明しているが、本発明はこれに限定されず、マクロ基地局が他の無線基地局であっても良く、マクロＵＥが他のユーザ端末であっても良い。
【００８０】
本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。例えば、上記実施の形態１，２において、サブフレーム番号は例示であり、他のサブフレーム番号を用いても本発明を制限しない。
【符号の説明】
【００８１】
ＭｅＮＢ  マクロ基地局
ＮｅＮＢ１，ＮｅＮＢ２  隣接基地局
１０１，２０３，３０１  送受信部
１０２  設定部
１０３，２０１  Ｘ２インタフェース部
１０４  サブフレーム決定部
２０２  シフト部
３０２  測定部
【図１】
0005599695.tif 000002
【図２】
0005599695.tif 000003
【図３】
0005599695.tif 000004
【図４】
0005599695.tif 000005
【図５】
0005599695.tif 000006
【図６】
0005599695.tif 000007
【図７】
0005599695.tif 000008
【図８】
0005599695.tif 000009